(57)【要約】【課題】省スペースで設置出来ると共に、変形による破損を確実に防止した開放式給湯装置を提供する。【解決手段】機器への運転指示信号を入力する風呂自動スイッチ２と、台所など他にもリモコン装置が設置されている場合に、風呂側の浴室リモコン装置１に優先権を与える浴室優先スイッチ１１と、給湯温度又は風呂湯温の設定値のどちらかを変更するアップスイッチ８、ダウンスイッチ９とを備え、前記浴室優先スイッチ１１による風呂側の浴室リモコン装置１に優先権がある場合は、前記アップスイッチ８、ダウンスイッチ９は給湯温度の設定を行い、優先権がない場合には、風呂湯温の設定が行えるようにしたので、極めて分かり易く、優先の時は給湯温度の設定変更が可能であり、優先でない時は風呂湯温の設定変更が行え、再び優先切替が行われるまで、この状態が継続し、急な温度変更にも十分対応出来るものであり、極めて使用勝手が良いものである。【選択図】図４
2006336934.tif 000002
【特許請求の範囲】
【請求項１】
機器への運転指示信号を入力する風呂自動スイッチと、台所など他にもリモコン装置が設置されている場合に、風呂側のリモコン装置に優先権を与える優先スイッチと、給湯温度又は風呂湯温の設定値のどちらかを変更するアップスイッチ、ダウンスイッチとを備え、前記優先スイッチによる風呂側のリモコン装置に優先権がある場合は、前記アップスイッチ、ダウンスイッチは給湯温度の設定を行い、優先権がない場合には、風呂湯温の設定が行えるようにした事を特徴とする浴室リモコン装置。
【請求項２】
前記給湯温度及び風呂湯温を表示する表示部を備え、この表示部にアップスイッチ、ダウンスイッチが給湯温度設定状態か、風呂湯温設定状態かを識別表示する事を特徴とする請求項１記載の浴室リモコン装置。
【発明の詳細な説明】
【技術分野】
【０００１】
この発明は、風呂機能を有した給湯機器の浴室リモコン装置に関するものである。
【背景技術】
【０００２】
従来よりこの種の浴室リモコン装置では、給湯温度設定と風呂湯温設定とを一つのアップ、ダウンスイッチを利用して行うもので、風呂沸き上げスイッチの押圧することにより、給湯温度設定状態から風呂湯温設定状態に切り替わるものである。（例えば、特許文献１参照）
【特許文献１】実公平６−３３３３号公報
【発明の開示】
【発明が解決しようとする課題】
【０００３】
ところでこの従来のものでは、実際に風呂の沸き上げ運転を行う時にしか風呂湯温の設定変更が出来ず、又一定時間経過後には給湯温度設定状態に戻ってしまうので、設定を急に変更することが出来ず、極めて使用勝手が悪いものであった。
【課題を解決するための手段】
【０００４】
この発明はこの点に着目し、上記欠点を解決する為、特にその構成を、請求項１では、機器への運転指示信号を入力する風呂自動スイッチと、台所など他にもリモコン装置が設置されている場合に、風呂側のリモコン装置に優先権を与える優先スイッチと、給湯温度又は風呂湯温の設定値のどちらかを変更するアップスイッチ、ダウンスイッチとを備え、前記優先スイッチによる風呂側のリモコン装置に優先権がある場合は、前記アップスイッチ、ダウンスイッチは給湯温度の設定を行い、優先権がない場合には、風呂湯温の設定が行えるようにしたものである。
【０００５】
又請求項２では、前記給湯温度及び風呂湯温を表示する表示部を備え、この表示部にアップスイッチ、ダウンスイッチが給湯温度設定状態か、風呂湯温設定状態かを識別表示するものである。
【発明の効果】
【０００６】
この発明の請求項１によれば、浴室リモコン装置の優先権有無によって、給湯温度の設定と風呂湯温の設定とを切替るので、極めて分かり易く、優先の時は給湯温度の設定変更が可能であり、優先でない時は風呂湯温の設定変更が行え、再び優先切替が行われるまで、この状態が継続し、急な温度変更にも十分対応出来るものであり、極めて使用勝手が良く、安心して使用出来るものである。
【０００７】
更に請求項２では、前記給湯温度及び風呂湯温を表示する表示部を備え、この表示部にアップスイッチ、ダウンスイッチが給湯温度設定状態か、風呂湯温設定状態かを識別表示することで、表示部を見ただけで今どちらの設定変更が出来るかが分かり、極めて便利であり安心して使用出来るものである。
【発明を実施するための最良の形態】
【０００８】
次にこの発明の給湯機用浴室リモコン装置の一実施形態について説明する。
１は浴室内に設置された浴室リモコン装置で、風呂を設定湯量、設定温度で自動的に沸き上げ保温する風呂自動スイッチ２、風呂を設定温度より数度高い温度に沸き上げるあつめスイッチ３、風呂があつい時に数リッターの水を注水してうめるぬるめスイッチ４、給湯の設定温度をデジタル表示する給湯温度表示５及び、風呂の枠の中で風呂の設定湯温をデジタル表示する風呂湯温表示６とを備えた表示部７が設けられている。
【０００９】
８は給湯温度の設定及び風呂湯温の設定を１℃ずつアップさせるアップスイッチ、９は給湯温度の設定及び風呂湯温の設定を１℃ずつダウンさせるダウンスイッチ、１０は選択スイッチで前記アップ、ダウンスイッチ８、９を、１回押圧で風呂湯温設定スイッチとし、２回の連続押圧で風呂湯量設定スイッチとし、３回の連続押圧で保温時間設定スイッチとして使用するようにしたものである。
【００１０】
１１は浴室優先スイッチで、通常は浴室リモコン装置１以外の台所リモコン等に給湯温度の設定変更が可能なように設定されているものを、浴室リモコン装置１からでも特別に給湯温度の設定変更が出来るように切替るもので、給湯使用中に浴室内から給湯温度の設定を安易に変更されることによる火傷等の危険を防止するものであり、押圧毎に浴室優先と優先解除を繰り返すもので、１回目の押圧を記憶しておき２回目のカウントでクリアーするように設定されている。
【００１１】
又前記浴室優先スイッチ１１押圧による浴室優先時には、アップ、ダウンスイッチ８、９を給湯温度の設定が変更可能状態とし、再度の浴室優先スイッチ１１の押圧による優先解除で浴室が優先でない時は、アップ、ダウンスイッチ８、９を風呂湯温の設定が変更可能状態とするものである。
【００１２】
更に前記表示部７には、浴室優先スイッチ１１による浴室優先状態を、「浴室優先」の文字表示１２を点灯させることで表示し、優先解除時にはこれを消灯するものであり、この浴室優先スイッチ１１の押圧による浴室リモコン装置１の浴室優先状態で、給湯温度変更状態であることを、給湯温度表示５を囲む枠で表示する給湯変更表示１３と、優先解除による風呂湯温変更状態であることを、風呂湯温表示６を囲む枠で表示する風呂変更表示１４とが設けられている。
【００１３】
次にこの一実施形態の作動について図４のフローチャートで説明すれば、今ステップ１５で１回目の浴室優先スイッチ１１の押圧がなされれば、ＹＥＳでステップ１６に進み浴室リモコン装置１を他のどのリモコンより優先とすると共に、アップ、ダウンスイッチ８、９を給湯温度の設定が変更可能状態とし、更に「浴室優先」の文字表示１２及び給湯変更表示１３を表示させるものである。
【００１４】
ステップ１５でＮＯでは、ステップ１７に進み浴室優先スイッチ１１の押圧が２回目かどうか判断し、ＹＥＳでステップ１８に進み浴室リモコン装置１の優先を解除すると共に、アップ、ダウンスイッチ８、９を給湯温度の設定可能状態から、風呂湯温の設定が変更可能状態とし、更に「浴室優先」の文字表示１２及び給湯変更表示１３を消灯し、風呂変更表示１４を表示させるものである。
【００１５】
従って、一対のアップ、ダウンスイッチ８、９を給湯温度の設定用と、風呂湯温の設定用に兼用出来、スイッチ数を最小限に出来ると共に、この切替を浴室優先スイッチ１１による浴室優先切替と同期して行うようにしたので、特別なスイッチが不用であり、しかも浴室リモコン装置１側に優先がある時に、給湯温度の設定変更が可能で、優先がない時は、風呂湯温の設定変更なので、極めて分かり易く安心して使用出来るものである。
【００１６】
又給湯温度の設定変更状態は給湯変更表示１３で表示し、風呂湯温の設定変更状態は風呂変更表示１４を表示して識別することで、一目で今何の設定変更状態かが分かり、更に使用勝手が良いものである。
【図面の簡単な説明】
【００１７】
【図１】この発明の一実施形態の浴室リモコン装置を示す正面図。
【図２】同リモコン装置の給湯温度変更状態の表示部の説明図。
【図３】同リモコン装置の風呂湯温変更状態の表示部の説明図。
【図４】同要部の作動状態を示すフローチャート。
【符号の説明】
【００１８】
１  浴室リモコン装置
２  風呂自動スイッチ
８  アップスイッチ
９  ダウンスイッチ
１１  浴室優先スイッチ
１３  給湯変更表示
１４  風呂変更表示
【図１】
2006336934.tif 000003
【図２】
2006336934.tif 000004
【図３】
2006336934.tif 000005
【図４】
2006336934.tif 000006